(57)【要約】【課題】  壁面・門柱等の中間に取り付けできて、門扉を内外いずれの向きにも開閉ができ、しかも調節設定が容易に行えるようにした取付装置を提供すること。【解決手段】  門柱或いは壁面の垂直面に対して平行に、長尺の固定枠を配置し、該固定枠内の上下２か所に、側面Ｘ形で中間部を支点に拡縮する抱合体の片側上下部を枢着した凹形金具を固着し且つ該凹形金具に抱合体の枢着部が摺動する長孔を形成し、抱合体の他側上下部を枢着した凹形金具を固定枠に対設した長尺の調節枠内に固着する。抱合体の中間に配置した止具には、調節枠から挿入した調節ねじを螺挿し、且つ抱合体の下部枢着部近傍に遊孔を形成した取付子を螺着する。【選択図】          図２
0003124317.tif 000002
【実用新案登録請求の範囲】
【請求項１】
門柱或いは壁面の垂直面に対して平行に、長尺の固定枠を配置し、該固定枠内の上下２か所に、側面Ｘ形で中間部を支点に拡縮する抱合体の片側上下部を枢着した凹形金具を固着し且つ該凹形金具に抱合体の枢着部が摺動する長孔を形成し、抱合体の他側上下部を枢着した凹形金具を固定枠に対設した長尺の調節枠内に固着するとともに、抱合体の中間に配置した止具に、調節枠から挿入した調節ねじを螺挿し、且つ抱合体の下部枢着部近傍に遊孔を形成した取付子を螺着し、而して調節枠と門扉を蝶番を介して連繋してなる門扉取付装置。
【請求項２】
調節枠を、固定枠の外側若しくは内側に配置することを特徴とする請求項１に記載の門扉取付装置。
【請求項３】
蝶番が上下の半体からなり、半体相互が同形で片方を調節枠に固着し、他方を背合わせ状の向きとして門扉に固着することを特徴とする請求項１又は２に記載の門扉取付装置。
【考案の詳細な説明】
【技術分野】
【０００１】  本考案は、柱或いは壁面の中央個所に取り付けができ、調節設定も可能とした門扉取付装置に関する。
【背景技術】
【０００２】  通常、門扉は玄関から所定距離を隔てた敷地に柱を立て、特に歩道に面する場合は通行の妨げにならないように内側に向けて開扉することが義務付けられている。また近時、大型マンションの増加に伴って各戸ごとに門扉を廊下側に設け、その内側に一定のスペースを形成して自転車などを収納できる構造としたものも出現している。【０００３】  門扉の取り付けには開閉自在とするための蝶番が用いられており、その蝶番は、柱の内側である玄関側に設けることが一般であるが、前記したマンションの場合には、廊下は歩道と異なるため、外側に設けて門扉を開く構造としても差し支えがないとされており、それゆえ内側のスペースを確保するために取付金具を廊下側の壁面に設けるものが多い。
【考案の開示】
【考案が解決しようとする課題】
【０００４】  歩道に面する門扉のように、柱の内側に取り付ける場合、玄関と柱との間隔が十分にあれば問題は生じないが、間隔が狭い場合には、門扉を内側に開いたときに門扉先端と玄関とが近接するために出入りが窮屈となるだけでなく、門扉の開閉に手間がかゝるなどの不便が生じる。【０００５】  またマンションの玄関先に門扉を取り付ける場合は、柱がないため当然ながら蝶番は廊下側壁面に取り付けることとなるので言わば露出状態となり、したがって美観を損ねるといった問題と、調節金具を取り付ける余地がないため門扉の取り付けが例えば傾くといった不具合を生じても簡単には調整できないといった欠点がある。【０００６】  本考案は以上の課題を解決するものであり、歩道に面する門扉であっても柱の中間或いは外側に位置させても開閉が自在になされ、またマンションの場合は、蝶番を廊下側に露出させないで門扉の取り付けがなされ、然も門扉内側に対して何ら開閉に支障を生ぜず、調節設定もできる門扉取付装置を提供するものである。
【課題を解決するための手段】
【０００７】  すなわち本考案は、門柱或いは壁面の垂直面３に対して平行に、長尺の固定枠１０を配置し、該固定枠１０内の上下２か所に、側面Ｘ形で中間部を支点に拡縮する抱合体１４の片側上下部を枢着した凹形金具１２を固着し且つ該凹形金具１２に抱合体１４の枢着部が摺動する長孔１７を形成し、抱合体１４の他側上下部を枢着した凹形金具１２’を固定枠１０に対設した長尺の調節枠２０内に固着するとともに、抱合体１４の中間に配置した止具１５に、調節枠２０から挿入した調節ねじ１６を螺挿し、且つ抱合体１４の下部枢着部近傍に遊孔Ｈを形成した取付子１８を螺着し、而して調節枠２０と門扉１を２か所の蝶番３０を介して連繋することを特徴とする。【０００８】  調節枠２０を、固定枠１の外側若しくは内側に配置することを特徴としている。【０００９】  蝶番３０が上下の半体３１・３１からなり、半体３１・３１相互が同形で片方を調節枠２０に固着し、他方を背合わせ状の向きとして門扉１に固着することを特徴とする。
【考案の効果】
【００１０】  本考案は固定枠を門柱若しくは壁面の垂直面に配置したことで歩道寄りに門扉を設置しても内側（玄関側）に向けて開閉ができ、したがってその分玄関との間に十分な距離をとることができるので敷地が狭くても開閉がスムースで窮屈な思いをすることなく出入りができる。【００１１】  マンションの壁面内側に固定枠を取り付けると、装置全体が廊下側に露出することがないためすっきりとして体裁が良く、露出しない分、廊下側への突出を少なくできる。【００１２】  Ｘ形の抱合体を、拡開させることも縮めることもできるため、門扉が傾かないように上下の抱合体を調節設定することで正しく位置決めができ、特に調節金具が使えず調整の難しいマンションにも好適する。【００１３】  蝶番を構成する上下の半体を同形としたことで同じ型で量産ができ、したがって蝶番を安価に得られるとともに、門扉の上下だけでなく左右いずれにも利用できる一石二鳥的効果がある。
【考案を実施するための最良の形態】
【００１４】  図面に基づき本考案を説明すると、図１は本案装置の取り付け状態の概略を示したもので、１は左右の扉体２・２からなる門扉であり、３は壁・柱などの垂直面である。１０は垂直面３に対して止めネジ１１を用いて配置固定した長尺の固定枠、２０は該固定枠１０に対設した調節枠、３０は門扉１と左右の調節枠２０を連繋する上下２か所に取り付けた蝶番である。【００１５】  図２は本案装置の要部を示すもので、説明の便宜上、門扉１の左側を図示しているが、右側についてもそのまゝ当てはまること勿論である。すなわち前記固定枠１０は平面コ字形で長手方向の上下２か所に凹形金具１２を止めねじで固着し、該凹形金具１２内には中間部を支点に拡縮する側面Ｘ形の抱合体１４の片側（図では左側）上下部を枢着している。抱合体１４は片側が平面凸型で他方が凹型で相互が合致しており、この凹凸の中間部が枢軸１３によって枢支されている。【００１６】  抱合体１４の他側（図では右側）は、前記調節枠２０内に固着した凹形金具１２ａ内に上下部を枢着されている。調節枠２０は固定枠１０に対設してあるが、両側は固定枠１０の外側にあり可動調節ができる。そのために調節枠２０は抱合体１４の中間に配置した止具１５に向けて螺挿した調節ねじ１６を締めたり緩めたりして調節される。調節ねじ１６を緩めると、抱合体１４を拡張又は縮小することができ（図は拡張状態を示す）、したがって調節が終了したら、調節ねじ１６を止具１５に締めつけて抱合体１４を固定すれば良い。なお抱合体１４の拡縮時の可動を円滑にするために、固定枠１０側の枢着部が摺動する長孔１７を凹形金具１２に形成し、また調節枠２０と抱合体１４の結合を確固とし且つ抱合体１４の動きをスムースにするために、抱合体１４の下部枢着部近傍に遊孔Ｈを形成した取付子１８を設けてねじ１９で螺着する（図４参照）。【００１７】  調節枠２０と門扉１とを連繋する蝶番３０は上下の半体３１相互が同形に形成されている。半体３１は、軸孔３２を形成した筒状部３３と、取付孔３４を形成した袖板３５が一体形成され、該袖板３５は、調節枠２０及び門扉１と密接し、袖板３５と調節枠２０及び門扉１とが、取付孔３４から挿入したビス３６で固着される。同形とした半体３１同士は片方を調節枠２０に、他方を背合わせ状の向きにすれば門扉１と固着することができ、また門扉１の左右いずれにも取り付けできる。【００１８】  上記の図では抱合体１４が拡張した状態のため調節枠２０は固定枠１０から離間しているが、図３のように抱合体１４が収縮状態のときは当然ながら調節枠２０が固定枠１０に近接している。したがって門扉１が下部よりも上部に空きを生じて傾いているようなときは、上部の空きをなくすために抱合体１４を収縮する方向に調節すれば良い。【００１９】  調節枠２０は上記のように固定枠１０の外側を可動する構造だけでなく、図５のように固定枠１０の内側を大形に形成してその内部に納まる構造としても良く、この場合は固定枠１０の内側を可動することとなること勿論である。【００２０】  本考案は上記構成からなるが、固定枠１０、調節枠２０などの本案構成部材の形状等は何ら図示のものに限定されず、本考案の目的構成を達成できる範囲の構造上の変更���、本考案の自由な実施の範疇に属する。
【図面の簡単な説明】
【００２１】
【図１】  本案装置を実施した門扉を示し、（ａ）は正面図、（ｂ）は平面図である。
【図２】  本案装置の要部を示し、（ａ）は抱合体を拡張した状態の正面図、（ｂ）はその平面図である。
【図３】  （ａ）は抱合体を収縮した状態の正面図、（ｂ）は平面図である。
【図４】  門扉側から見た調節枠の側面図である。
【図５】  調節枠を固定枠の内側に係合する形態とした他の例を示す説明図である。
【符号の説明】
【００２２】１    門扉
３    垂直面
１０  固定枠
１２  凹形金具
１２’凹形金具
１４  抱合体
１５  止具
１６  調節ねじ
１７  長孔
１８  取付子
Ｈ    遊孔
２０  調節枠
３０  蝶番
３１  半体
【図１】
0003124317.tif 000003
【図２】
0003124317.tif 000004
【図３】
0003124317.tif 000005
【図４】
0003124317.tif 000006
【図５】
0003124317.tif 000007